(57)【要約】      （修正有）【課題】レンズユニットの防塵性の向上並びにレンズユニットの損傷を確実に防止し、かつ、真空包装したレンズユニットを取り出す際、上段側のトレー本体とレンズユニットとが確実に分離できるようにする。【解決手段】レンズユニット５０を収納保持したトレー本体１を多段に積み重ね、これをフィルム体Ｈで真空包装して密閉した包装体とする。トレー本体は多段に積み重ねた際、下段側のレンズユニットと上段側のトレー本体との間に段部７による空隙部８が形成され、この空隙部が空気の逃し路となり、空間部Ｓ１内が負圧とならない。これにより、レンズユニットを取り出す際、上段側のトレー本体とレンズユニットとが確実に分離する。【選択図】図２
2008013201.tif 000002
【特許請求の範囲】
【請求項１】
包装対象である携帯電話用カメラなどに組み込まれるレンズユニットを収納する全体形状が略皿形に形成されたトレー本体を備え、このトレー本体に前記レンズユニットが嵌合する複数の収納凹部を形成し、この収納凹部に前記レンズユニットを位置決め保持した前記トレー本体を多段に積み重ねるとともに、最上部のトレー本体はレンズユニットが収納されていないトレー本体を配置し、これらトレー本体全体をフィルムで真空包装することを特徴とするレンズユニットの包装体。
【請求項２】
前記トレー本体には、前記フィルムで真空包装する際、下段側のトレー本体の収納凹部内に収納した前記レンズユニットが上段側に積み重ねたトレー本体の収納凹部裏面側に密着して貼り付くことを防止するための吸着防止手段を備えたことを特徴とする請求項１記載のレンズユニットの包装体。
【請求項３】
前記吸着防止手段として、前記収納凹部の底部に一つ以上の凹状又は凸状の段部を形成し、前記レンズユニットを収納したトレー本体を積み重ねた際、前記段部によって、少なくとも下段側の収納凹部内に収納したレンズユニットと上段側の収納凹部裏面側との間に空隙部を形成し、前記真空包装時において、前記空隙部と積み重ねた前記各トレー本体の間に形成される収納空間とが連通して空気の逃し路として機能させたことを特徴とする請求項２記載のレンズユニットの包装体。
【請求項４】
前記収納凹部の裏面周縁から拡径状に広がるテーパ面で構成され、前記レンズユニットを収納したトレー本体を積み重ねた際、下段側の収納凹部内に収納したレンズユニットの前面周縁が前記テーパ面の内周面に線接触可能とすることで、少なくとも下段側のトレー本体に収納するレンズユニットの前面と上段側のトレー本体とが非接触状態を保ったまま収納保持されていることを特徴とする請求項１記載のレンズユニットの包装体。
【発明の詳細な説明】
【技術分野】
【０００１】
本発明は、携帯機器用カメラなどに組み込まれるレンズユニットの保管、運搬に用いる包装体に関するものである。
【背景技術】
【０００２】
電子部品の保管、運搬に用いる収納用トレーとして従来からポリスチレン、ポリプロピレン、ポリ塩化ビニール、ＰＥＴ樹脂等の熱可塑性の合成樹脂シートを真空成形などで成形したトレーが知られている。このような収納用トレーとして特許文献１で示すように、全体として全体形状が略皿形に形成され、内部に電子部品を収納保持させた状態で積み重ねられるように、トレー本体が、電子部品を載置する平板部と、この平板部の周縁部から立ち上がる鍔部と、この鍔部の周縁部から下方に向かって末広がり状に傾斜した傾斜面とから成り、前記平板部に電子部品を収納保持するための複数の収納凹部を形成し、この収納凹部に電子部品等のレンズユニットを位置決め保持した状態で順次、下段側のトレー本体の鍔部に上段のトレー本体を積み重ねるように構成している。また、特許文献２には、リード端子を備えた電子部品に対する包装方法に関し、電子部品における厚さ寸法に近似した厚さにした第１板状体と、軟質性を有する第２板状体とを、前記第１板状体に複数個穿設した各装填孔内に前記電子部品を装填して重ね合わせたのち、これらの全体をフィルムにて、真空包装するように構成したリード端子付き電子部品の包装方法が開示されている。
【０００３】
【特許文献１】特開２００３−２７６７９０号公報
【特許文献２】特開平１１−５９６１１号公報
【発明の開示】
【発明が解決しようとする課題】
【０００４】
特許文献１で開示された収納用トレーにより、電子部品を収納し、これを順次、積み重ねて保管、運搬などに用いられるが、携帯機器用カメラなどに組み込まれるレンズユニットは、保管時あるいは運搬時において塵や埃などが付着すると、光学的性能が劣化することから、防塵性を高める目的で特許文献２で示すようにフィルムを用いて真空包装する場合、積層した収納用トレーを真空包装した際、図１１に示すように、携帯機器用カメラのレンズユニットＡは、レンズ鏡筒Ａ１とレンズＡ２とからなり、レンズＡ２はレンズ鏡筒Ａ１から突出しないようにレンズ鏡筒Ａ１より低い。このため、上段側に積み重ねたトレー本体Ｂと下段側のトレー本体Ｂに収納されたレンズ鏡筒Ａ１とが密着した際、レンズＡ２と上段側のトレー本体Ｂとの間に密閉空間Ｃが形成され、その密閉空間Ｃ内の空気が抜かれることによって密閉空間Ｃが負圧となり、本来、下段側のトレー本体に収納されるべきレンズユニットＡのいくつかがトレー本体Ｂの裏面側に貼り付いてしまう。このため、包装体から収納用トレーを取り出して多段に積み重ねたトレー本体を分離する際、上段側のトレー本体に貼り付けたレンズユニットＡを剥がすといった煩わしい手間がかかり、作業性の低下を招くという課題を有していた。また、最上部に積み重ねたトレー本体に収納したレンズユニットの前面にフィルムが密着してしまい、レンズユニットに組み込んだレンズが損傷する危険あり、特にレンズなどの光学部品を収納する際、レンズを保護することが重要な課題であった。
【０００５】
本発明は上述した問題点に鑑みてなされたものであり、保管時あるいは運搬時においてレンズユニットへの塵や埃などの付着やレンズユニットの損傷を確実に防止することができるとともに、収納保持した複数のトレー本体を一体化して効率的に保管、輸送でき、かつ、真空包装したレンズユニットを取り出す際、上段側のトレー本体へのレンズユニットの貼り付きを抑えて確実に分離することができるレンズユニットの包装体を提供することを目的とする。
【課題を解決するための手段】
【０００６】
請求項１のレンズユニットの包装体は、包装対象である携帯電話用カメラなどに組み込まれるレンズユニットを収納する全体形状が略皿形に形成されたトレー本体を備え、このトレー本体に前記レンズユニットが嵌合する複数の収納凹部を形成し、この収納凹部に前記レンズユニットを位置決め保持した前記トレー本体を多段に積み重ねるとともに、最上部のトレー本体はレンズユニットが収納されていないトレー本体を配置し、これらトレー本体全体をフィルムで真空包装することを特徴とする。
【０００７】
請求項１の構成により、光学部品であるレンズユニットを保管、輸送する際、レンズユニットをトレー本体に収納保持し、このトレー本体を多段に積み重ねてトレー本体全体をフィルムで真空包装することで、多段に積み重ねたトレー本体がフィルムにより一体化され、内部に収納したレンズユニットのずれや変動が抑えられるとともに、仮に包装体の天地を逆にしてもレンズユニットが外れてトレー本体から落下することなく、確実にトレー本体に収納保持できる。また、最上段のトレー本体は、蓋として機能するのみでレンズユニットが収納されていないで、レンズユニットにフィルムが貼り付くことによるレンズユニットの損傷を防止することができる。
【０００８】
請求項２のレンズユニットの包装体は、請求項１記載のレンズユニットの包装体において、前記トレー本体には、前記フィルムで真空包装する際、下段側のトレー本体の収納凹部内に収納した前記レンズユニットが上段側に積み重ねたトレー本体の収納凹部裏面側に密着して貼り付くことを防止するための吸着防止手段を備えたことを特徴とする。
【０００９】
請求項２の構成により、多段に積み重ねたトレー本体をフィルムで真空包装する際、下段側のトレー本体に収納保持したレンズユニットが密着して貼り付きやすくなるが、吸着防止手段により上段側に位置する収納凹部裏面側へのレンズユニットの貼り付きが防止される。
【００１０】
請求項３のレンズユニットの包装体は、請求項２記載のレンズユニットの包装体において、前記吸着防止手段として、前記収納凹部の底部に一つ以上の凹状又は凸状の段部を形成し、前記レンズユニットを収納したトレー本体を積み重ねた際、前記段部によって、少なくとも下段側の収納凹部内に収納したレンズユニットと上段側の収納凹部裏面側との間に空隙部を形成し、前記真空包装時において、前記空隙部と積み重ねた前記各トレー本体の間に形成される収納空間とが連通して空気の逃し路として機能させたことを特徴とする。
【００１１】
請求項３の構成により、上段側に位置するトレー本体の収納凹部裏面側との間には段部による空隙部が形成されるから、この空隙部から空気が逃げてレンズユニットとトレー本体とが密着しにくくなる。
【００１２】
請求項４のレンズユニットの包装体は、前記収納凹部の裏面周縁から拡径状に広がるテーパ面で構成され、前記レンズユニットを収納したトレー本体を積み重ねた際、下段側の収納凹部内に収納したレンズユニットの前面周縁が前記テーパ面の内周面に線接触可能とすることで、少なくとも下段側のトレー本体に収納するレンズユニットの前面と上段側のトレー本体とが非接触状態を保ったまま収納保持されていることを特徴とする。
【００１３】
請求項４の構成により、トレー本体を多段に積み重ねた際、下段側のトレー本体に収納保持したレンズユニットの前面周縁が上段側のトレー本体のテーパ面の内周面に線接触し、下段側のレンズユニットは、テーパ面に線接触状態で当接するから、レンズユニットの前面部が上段側のトレー本体と接触しない。
【発明の効果】
【００１４】
本発明のレンズユニットの包装体は、レンズユニットを収納保持したトレー本体を多段に積み重ね、これをフィルムで真空包装することでレンズユニットを収納保持した個々のトレー本体がフィルムにより一体化され、内部に収納した収納保持のずれや変動が抑えられるとともに、仮に包装体の天地を逆にしてもレンズユニットが外れてトレー本体から落下することなく、確実にトレー本体に収納保持できる。また、保管、輸送時などにおいて、防塵性が向上し、レンズユニットへの塵や埃などの付着を防止することができるとともに、レンズユニットの損傷を防止することができる。
【００１５】
また、真空包装したレンズユニットを取り出す際、下段側の収納凹部内に収納したレンズユニットが上段側のトレー本体の裏面側に貼り付くことなく、確実に収納凹部内に収納保持されるから、上段側のトレー本体の裏面側に貼り付いたレンズユニットを剥がすといった煩わしい作業も不要であり、作業性を高めることができる。
【発明を実施するための最良の形態】
【００１６】
以下、本発明の収納用トレーの具体的実施例として添付図面を参照しながら説明する。図１は本発明の収納トレーを包装体に収納した状態を示す一部を切り欠いた包装体の正面図、図２はトレー本体の重なり部を示す拡大断面図、図３は図２におけるＡ部分の拡大断面図、図４は収納用トレーを示す一部を拡大した平面図、図５は図４におけるＢ−Ｂ線断面図に沿った拡大断面図、図６は収納凹部の拡大平面図である。なお、以下の実施態様は、本発明を具体化する際の一形態であって、本発明をその範囲内に限定するためのものではない。
【実施例１】
【００１７】
図において１は、例えばポリスチレン、ポリプロピレン、ポリ塩化ビニール、ＰＥＴ樹脂等の熱可塑性の合成樹脂シートを真空成形等で成形したトレー本体であり、全体として略皿形に形成されている。このトレー本体１は、平坦な平板部２と、この平板部２の周縁から立ち上がる鍔部３及び該鍔部３の周縁からから下方に向かって末広がり状に傾斜した傾斜面４を備え、図１などに示すように、前記平板部２に形成する複数の収納凹部５にレンズユニットとして携帯機器用カメラなどに組み込まれるレンズユニット５０を位置決め保持した状態で順次、下段側のトレー本体１の鍔部３に上段のトレー本体１を積み重ねることによって保管あるいは輸送するものである。
【００１８】
前記収納凹部５は、レンズユニット５０の外周が嵌合するように平板部２から円形状に陥没している。また、本実施例において、収納凹部５は、平板部２を横長として見た場合、縦方向に１０列、横方向に１６列の収納凹部５が等間隔に並列され、計１６０個のレンズユニット５０が収納可能である。また、平板部２には並設された複数の収納凹部５の中心を相互に結ぶように十字状の溝部５Ａが形成されるとともに、収納凹部５の底部には、収納凹部５の表面から突出して前記レンズユニット５０の底面と当接する左右一対の載置用凸部６，６を形成している。この載置用凸部６，６は、図４（拡大部分）に示すように、それぞれ前記収納凹部５の内周面から収納凹部５の中心に向かって円弧状に突出し、収納凹部５内におけるレンズユニット５０の高さ方向に位置決めを成す。また、収納凹部５の表面に載置用凸部６，６を形成することによって、収納凹部５の裏面側に載置用凸部６，６と対応した位置、すなわち、収納凹部５の外周縁を円弧状に切り欠いた凹状の段部７が形成され、この段部７が吸着防止手段となる。この吸着防止手段である段部７によって、前記トレー本体１を多段に積み重ねた際、下段側の収納凹部５内に収納したレンズユニット５０と上段側のトレー本体１に形成する収納凹部５の裏面とが接触した際、収納凹部５の裏面に陥没した段部７によって収納凹部５の裏面とレンズユニット５０と間に空隙部８が形成される。この空隙部８は、トレー本体１を多段に積み重ねた際、上下各トレー本体１間に形成する収納空間Ｓと連通することになるから、後述するトレー本体１を真空包装する際、空隙部８が空気の逃し路として機能する。
【００１９】
本実施例は以上の構成からなり、トレー本体１に形成する複数の収納凹部５内にそれぞれレンズユニット５０を嵌め入れることにより、レンズユニット５０の周縁が収納凹部５の内周面に位置決めされるとともに、レンズユニット５０の底面が収納凹部５の底部の突出形成した２つの載置用凸部６に当接した状態で位置決めされる。これにより、収納凹部５内においてレンズユニット５０がガタ付くことなく、レンズユニット５０が収納保持される。このようにして、レンズユニット５０を組み込んだトレー本体１を上下多段に積み重ねるが、所定の枚数トレー本体１を積み重ねたら、最上部のトレー本体１にはレンズユニット５０が組み込まれていないトレー本体１を載置する。すなわち、トレー本体１を上下多段に積み重ねることで、上下各トレー本体１の間には各トレー本体１で囲まれたレンズユニット５０の収納空間Ｓが形成され、最上部のトレー本体１は単に蓋体として機能する。このようにして、レンズユニット５０を収納保持したトレー本体１を多段に積み重ねた後、図１に示すように、フィルム体Ｈなどに収納し、そのフィルム体Ｈ内の空気を抜いてフィルム体Ｈの開口部を熱溶着することによって密閉した包装体１０を形成している。これにより、多段に積み重ねたトレー本体１の周囲がフィルム体Ｈで押されて一体化され、内部に収納したレンズユニット５０のずれや変動が抑えられ、また、例え、包装体１０の天地を逆にしてもレンズユニット５０が外れてトレー本体１から落下することもなく、また、レンズユニット５０への塵、埃などの付着を防止して防塵性を高めるとともに、レンズユニット５０の損傷も防止される。
【００２０】
このように、本実施例においては、防塵性を高めるために、レンズユニット５０が組み込まれたトレー本体１をフィルム体Ｈで密封する。この時、フィルム体Ｈ内の空気を抜くことから、多段に積み重ねたトレー本体１は、相互に密着し、下段側のトレー本体１に収納保持したレンズユニット５０の表面が上段側のトレー本体１に形成する収納凹部５の裏面に当接する。この時、レンズユニット５０に組み込んだレンズ５０Ａと収納凹部５の裏面との間に空間部Ｓ１が生じたとしても、下段側の収納凹部５内に収納したレンズユニット５０と上段側のトレー本体１に形成する収納凹部５の裏面との間に空隙部８が形成され、空隙部８によってレンズ５０Ａと収納凹部５との空間部Ｓ１が上下各トレー本体１間に形成される収納空間Ｓと連通し、空間部Ｓ１内の空気は空隙部８を通って収納空間Ｓへと流れる。したがって、包装体１０からトレー本体１を取り出す際、下段側の収納凹部５内に収納したレンズユニット５０が上段側のトレー本体１の裏面側に貼り付くことなく、確実に収納凹部５内に収納保持される。
【００２１】
以上のように、本実施例においては、包装体１０からトレー本体１を取り出した後、上段側のトレー本体１の裏面側に貼り付いたレンズユニット５０を剥がすといった煩わしい作業が不要であり、作業性を高めることができるとともに、レンズユニット５０を収納保持したトレー本体１をフィルム体Ｈ内に収納して密封した包装体１０とすることにより、多段に積み重ねたトレー本体１が一体化され、内部に収納したレンズユニット５０のずれや変動が抑えられ、また、例え、包装体１０の天地を逆にしてもレンズユニット５０が外れてトレー本体１から落下することもないから、保管時、輸送時などにおいて取り扱いにも便利であるとともに、最上段のトレー本体１は、蓋として機能するのみでレンズユニット５０が収納されていないで、レンズユニット５０にフィルム体Ｈが貼り付くことによるレンズユニット５０の損傷を防止することができる。このように、複数のレンズユニット５０を収納保持したトレー本体１を多段に積み重ねてフィルム体Ｈで真空包装することでレンズユニット５０の損傷の防止並びにレンズユニット５０への塵、埃などの付着を確実に防止して防塵性を高めることができる。
【実施例２】
【００２２】
図７及び図８は本発明の実施例２を示し、図７は本発明の実施例２を示す収納用トレーを示す一部を拡大した平面図、図８はトレー本体の重なり部を示す拡大断面図である。なお、実施例２において、前記実施例１と共通する機能を有する部分には同一符号を付し、異なる部分についてのみ説明する。
【００２３】
前記実施例１においては、収納凹部５の底部に、収納凹部５の表面から突出する載置用凸部６，６を形成することによって収納凹部５の裏面側に吸着防止手段となる凹状の段部７を形成した例を示したが、本実施例においては、収納凹部５の裏面側に下段側に収納保持したレンズユニット５０に前面周縁部分と当接可能な４つの突き当て凸部２０を形成することによって収納凹部５の裏面側に吸着防止手段となる凸状の段部２１を形成している。突き当て凸部２０は、図７に示すように、それぞれ前記収納凹部５の底部周縁部に位置してそれぞれ９０度毎に間隔毎に形成されており、また、形状は前記実施例１と同様、円弧状である。
【００２４】
以上のように構成される本実施例においては、トレー本体１を収納したフィルム体Ｈ内の空気を抜く際、下段側のトレー本体１に収納保持したレンズユニット５０の表面が上段側に位置するトレー本体１の収納凹部５の裏面側に突設した突き当て凸部２０と当接し、この凸部２０によって構成される凸状の段部２１により、レンズユニット５０と上段側のトレー本体１に形成する収納凹部５の裏面との間に空隙部８が形成されるから、前記実施例１と同様、空隙部８を介してレンズ５０Ａと収納凹部５の裏面との間に形成される空間部Ｓ１と上下各トレー本体１間に形成する収納空間Ｓとが連通し、空隙部８がフィルム体Ｈ内の空気を抜く際の空気の逃し路として機能する。これにより、包装体１０からトレー本体１を取り出す際、下段側の収納凹部５内に収納したレンズユニット５０が上段側のトレー本体１の裏面側に貼り付くことなく、確実に収納凹部５内に収納保持される。
【実施例３】
【００２５】
図９及び図１０は本発明の実施例３を示し、図９は収納用トレーを示す一部を拡大した平面図、図１０はトレー本体の重なり部を示す拡大断面図である。なお、実施例３において、前記各実施例と共通する機能を有する部分には同一符号を付し、異なる部分についてのみ説明する。
【００２６】
前記実施例１、２においては、レンズユニット５０に組み込まれるレンズ５０Ａがレンズユニット５０の表面より下がった位置に組み込まれる場合を示したが、レンズユニット５０のタイプによってはレンズ５０Ａの表面側にレンズ５０の保護あるいは赤外線などを遮断するためにフィルタ５０Ｂを組み込んだものもある。このようなフィルタ５０Ｂはレンズユニット５０の表面とフラットに連続するように組み込まれるものが多く、実施例１あるいは実施例２のように、レンズユニット５０の表面にトレー本体１の収納凹部５又は突き当て凸部２０を直接的に接触すると、フィルタ５０Ｂが損傷する虞れがある。このため、本実施例においては、レンズユニット５０の表面と上段側に位置するトレー本体１の収納凹部５の裏面側とが直接的に接触しないように構成している。すなわち、本実施例では、吸着防止手段として、収納凹部５の裏面周縁から拡径状に広がるテーパ面３０を形成し、レンズユニット５０を収納したトレー本体１を積み重ねた際、下段側の収納凹部５内に収納したレンズユニット５０の前面周縁を前記テーパ面３０の内周面に線接触させている。
【００２７】
以上のように構成される本実施例においては、トレー本体１を収納したフィルム体Ｈ内の空気を抜く際、下段側のトレー本体１に収納保持したレンズユニット５０の前面周縁を上段側に位置するトレー本体１の収納凹部５の裏面周縁から延設したテーパ面３０の内周面に当接したとしてもテーパ面３０とレンズユニット５０とは線接触するから、レンズユニット５０とテーパ面３０との接触面積が極めて少ないとともに、レンズユニット５０をテーパ面３０に突き当てることで、レンズユニット５０とテーパ面３０との間に形成される空間部Ｓ１内の容積が可及的に狭くなる。したがって、フィルム体Ｈ内の空気を抜く際、レンズユニット５０とテーパ面３０との間から空気が洩れやすく、下段側の収納凹部５内に収納したレンズユニット５０が上段側のトレー本体１に密着しにくくなる。
【００２８】
以上のように、本実施例においては、レンズユニット５０の表面側に露出するフィルタ５０Ｂとトレー本体１とが非接触状態を保ち、フィルタ５０Ｂの損傷を防止することができるとともに、包装体１０からトレー本体１を取り出した後、上段側のトレー本体１の裏面側に貼り付いたレンズユニット５０を剥がすといった煩わしい作業も不要であり、作業性を高めることができる。
【００２９】
以上、本発明の実施例を詳述したが、本発明は、前記実施例に限定されるものではなく、本発明の要旨の範囲内で種々の変形実施が可能である。例えば、収納凹部５に形成する載置用凸部６や突き当て凸部２０の形状あるいは数などは前記実施例に限らず適宜選定すればよい。また、トレー本体１や収納凹部５の形状あるいはトレー本体１に組み込まれるレンズユニット５０の個数も適宜選定すればよい。また、実施例３において、トレー本体１に収納するレンズユニット５０として、レンズ５０Ａの表面側にレンズ５０の保護あるいは赤外線などを遮断するためにフィルタ５０Ｂを設け、このフィルタ５０Ｂをレンズユニット５０の表面とフラットに連続させたタイプを例示したが、実施例３に示すトレー本体１に実施例１、２に示すように、レンズ５０Ａがレンズユニット５０の表面より下がった位置に組み込まれるタイプのレンズユニット５０を組み込むことも可能である。さらに、前記各実施例においては、レンズユニットとして携帯電話などに組み込まれるレンズユニット５０を例として説明したが、他の電子部品の収納用トレーとして広く適用可能であることは勿論である。
【図面の簡単な説明】
【００３０】
【図１】本発明の実施例１における収納トレーを包装体に収納した状態を示す一部を切り欠いた包装体の正面図である。
【図２】同上、トレー本体の重なり部を示す拡大断面図である。
【図３】同上、図２のＡ部分の拡大断面図である。
【図４】収納用トレーを示す一部を拡大した平面図である。
【図５】同上、図４におけるＢ−Ｂ線断面図に沿った拡大断面図である。
【図６】同上、収納凹部の拡大平面図である。
【図７】本発明の実施例２における収納用トレーを示す一部を拡大した平面図である。
【図８】同上、トレー本体の重なり部を示す拡大断面図である。
【図９】本発明の実施例３における収納用トレーを示す一部を拡大した平面図である。
【図１０】同上、トレー本体の重なり部を示す拡大断面図である。
【図１１】従来例を示すトレー本体の重なり部を示す拡大断面図である。
【符号の説明】
【００３１】
１    トレー本体
５    収納凹部
６    載置用凸部
７    凹状の段部
８    空隙部
１０    包装体
２０    突き当て凸部
２１    凸状の段部
３０    テーパ面
５０    レンズユニット
Ｓ    収納空間
Ｓ１    空間部
Ｈ    フィルム体
【図１】
2008013201.tif 000003
【図２】
2008013201.tif 000004
【図３】
2008013201.tif 000005
【図４】
2008013201.tif 000006
【図５】
2008013201.tif 000007
【図６】
2008013201.tif 000008
【図７】
2008013201.tif 000009
【図８】
2008013201.tif 000010
【図９】
2008013201.tif 000011
【図１０】
2008013201.tif 000012
【図１１】
2008013201.tif 000013